【手続補正書】
【提出日】平成28年3月23日(2016.3.23)
【手続補正１】
【補正対象書類名】明細書
【補正対象項目名】０００７
【補正方法】変更
【補正の内容】
【０００７】
弾道防護具、電子及び熱伝導性材料、先進型の極超音速エンジン、尖鋭な本体を有する再突入機上の機体前縁、及び原子炉のようなその潜在的な応用ゆえ、ホウ化チタン、ホウ化ジルコニウム、及びホウ化ハフニウムなどの、小さい粒子サイズ及び大きい表面積を有する金属ホウ化物に対する現行の関心が存在する。現在、前縁及びノーズキャップ応用のための耐熱金属ホウ化物に対する関心が存在し、それらは適度に高い温度を要する。耐熱金属ホウ化物は、超高温域におけるこれらの材料の酸化抵抗性を向上させるため、炭化ケイ素などの他のセラミックと、組み合わせられてきた。これらの金属ホウ化物の多くは、金属様伝導性、及び／または並外れた磁気的特性をも有する。伝統的には、これらの材料は、制御された成分及びマクロ的特性を有する均質な材料を産生する能力が限られた、高温粉末法により調整されてきた。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００７／０１２８３９９号明細書
（特許文献２）  米国特許第５，４１３，８１６号明細書
（特許文献３）  米国特許第５，９３７，９３２号明細書
（特許文献４）  米国特許第５，２５４，３９７号明細書
（特許文献５）  米国特許出願公開第２０１１／０２５５２１２号明細書
（特許文献６）  米国特許出願公開第２００３／０１４３４０２号明細書
（特許文献７）  米国特許出願公開第２００６／００４３６４９号明細書
（特許文献８）  米国特許出願公開第２００４／０２３２３８９号明細書
（特許文献９）  米国特許出願公開第２０１２／０１４８７６２号明細書
（特許文献１０）  米国特許第８，１５８，０９４号明細書
（特許文献１１）  米国特許第７，７２２，８５１号明細書
（特許文献１２）  米国特許第４，９３７，１０１号明細書
（特許文献１３）  米国特許第４，５８２，５５３号明細書
（特許文献１４）  米国特許出願公開第２００５／０２０２２８２号明細書
（特許文献１５）  米国特許出願公開第２００３／０００６２６９号明細書
（特許文献１６）  米国特許出願公開第２０１１／００４８７０９号明細書
（特許文献１７）  国際公開第９４／２０６５１号
（特許文献１８）  米国特許出願公開第２００４／０２３２３８９号明細書
（特許文献１９）  米国特許出願公開第２００７／０２２７２９９号明細書
（特許文献２０）  米国特許第２，７３５，１５５号明細書
（特許文献２１）  米国特許第２，９３６，２５０号明細書
（特許文献２２）  米国特許第８，１５８，０９４号明細書
（特許文献２３）  米国特許出願公開第２００６／００５７０５０号明細書
（特許文献２４）  特開２００８―２６６１２６号公報
（特許文献２５）  特開平０７―１０５９５５号公報
（特許文献２６）  米国特許出願公開第２０１２／００６５３０９号明細書
（特許文献２７）  米国特許出願公開第２０１２／００５２２２２号明細書
（特許文献２８）  米国特許出願公開第２０１１／００３０９５０号明細書
（特許文献２９）  米国特許第７，２７３，５０９号明細書
（特許文献３０）  米国特許出願公開第２０１４／００６５３８７号明細書
（特許文献３１）  米国特許第７，６５８，７８１号明細書
（特許文献３２）  米国特許第６，０５１，１６７号明細書
（特許文献３３）  米国特許第５，７３０，９１５号明細書
（特許文献３４）  米国特許第５，９８０，８５３号明細書
（特許文献３５）  米国特許第４，７９５，６７３号明細書
（特許文献３６）  米国特許出願公開第２００５／０２３８８３５号明細書
（特許文献３７）  米国特許出願公開第２００９／０１７０９９８号明細書
（特許文献３８）  米国特許出願公開第２０１１／０２００７４８号明細書
（非特許文献）
（非特許文献１）  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１３／０２３０５４（０６／２１／２０１３）
（非特許文献２）  Ｐｒｅｓｓｅｒ  ｅｔ  ａｌ．，"Ｆｌｅｘｉｂｌｅ  Ｎａｎｏ−ｆｅｌｔｓ  ｏｆ  Ｃａｂｉｄｅ−Ｄｅｒｉｖｅ  Ｃａｒｂｏｎ  ｗｉｔｈ  Ｕｌｔｒａ−ｈｉｇｈ  Ｐｏｗｅｒ  Ｈａｎｄｌｉｎｇ  Ｃａｐａｂｉｌｉｔｙ，"Ａｄｖ．Ｅｎｅｒｇｙ  Ｍａｔｅｒ，２０１１，１，４２３−４３０
（非特許文献３）  ＢＩＥＤＵＮＫＩＥＷＩＣＺ．"Ｃｒｙｓｔａｌｌｉｚａｔｉｏｎ  ｏｆＴｉＣ  ａｎｄ  ＴｉＮ  ｆｒｏｍ  ａ  ｃｏｌｌｏｉｄａｌ  ｓｙｓｔｅｍ"  Ｍａｔｅｒｉａｌｓ  Ｓｃｉｅｎｃｅ，Ｖｏｌ．２１，Ｎｏ．４，２００３
（非特許文献４）  ＢＯＤＺＩＯＮＹ  ｅｔ  ａｌ．，"Ｃｈａｒａｃｔｅｒｉｚａｔｉｏｎ  ａｎｄ  ＥＰＲ  ｓｔｕｄｉｅｓ  ｏｆ  ＴｉＣ  ａｎｄ  ＴｉＮ  ｃｅｒａｍｉｃｓ  ａｔ  ｒｏｏｍ  ｔｅｍｐｅｒａｔｕｒｅ"Ｍａｔｅｒｉａｌｓ  Ｓｃｉｅｎｃｅ−Ｐｏｌａｎｄ，Ｖｏｌ．２３，Ｎｏ．４，２００５
（非特許文献５）  ＣＥＮＴＥＮＯ  ｅｔ  ａｌ．，"Ｄｅｖｅｌｏｐｍｅｎｔ  ｏｆ  ｔｉｔａｎｉｕｍ−ｄｏｐｅｄ  ｃａｒｂｏｎ−ｃａｒｂｏｎ  ｃｏｍｐｏｓｉｔｅｓ"Ｊ．Ｍａｔｅｒ．Ｓｃｉ．（２００９）４４：２５２５−２５３２
（非特許文献６）  ＧＵＳＫＯＳ  ｅｔ  ａｌ．，"Ｍａｇｎｅｔｉｃ  ａｎｄ  Ｔｒａｎｓｐｏｒｔ  Ｐｒｏｐｅｒｔｉｅｓ  ｏｆ  Ｎａｎｏｃｒｙｓｔａｌｌｉｎｅ  Ｔｉｔａｎｉｕｍ  Ｃａｒｂｉｄｅ  ｉｎ  Ｃａｒｂｏｎ  Ｍａｔｒｉｘ"Ｅｌｅｃｔｒｏｎ  Ｔｒａｎｓｐｏｒｔ  ｉｎ  Ｎａｎｏｓｙｓｔｅｍｓ  Ｓｐｒｉｎｇｅｒ  Ｓｃｉｅｎｃｅ  ＋  Ｂｕｓｉｎｅｓｓ  Ｍｅｄｉａ  ＢＶ  ２００８
（非特許文献７）  ＧＵＳＫＯＳ  ｅｔ  ａｌ．，"Ｐａｒａｍａｇｎｅｔｉｃ  ｃｅｎｔｅｒｓ  ｉｎ  ｎａｎｏｃｒｙｓｔａｌｌｉｎｅ  ＴｉＣ／Ｃ  ｓｙｓｔｅｍ"Ｊｏｕｒｎａｌ  ｏｆ  Ａｌｌｏｙｓ  ａｎｄ  Ｃｏｍｐｏｕｎｄｓ  ４５５（２００８）５２−５４
（非特許文献８）  ＶＡＳＩＮＡ  ｅｔ  ａｌ．，"Ｐｒｏｐｅｒｔｉｅｓ  ｏｆ  ｎａｎｏｃｏｍｐｏｓｉｔｅ  ｃｏａｔｉｎｇｓ  ｐｒｅｐａｒｅｄ  ｂｙ  ｈｙｂｒｉｄ  ｐｒｏｃｅｓｓ  ｏｆ  ｍｅｔａｌｌｉｃ  ｔａｒｇｅｔ  ｓｐｕｔｔｅｒｉｎｇ  ｉｎ  ａｒｇｏｎ  ａｎｄ  ａｃｅｔｙｌｅｎｅ"３０ｔｈ  ＩＣＰＩＧ，Ａｕｇｕｓｔ  ２８ｔｈ−Ｓｅｐｔｅｍｂｅｒ  ２ｎｄ  ２０１１，Ｂｅｌｆａｓｔ，Ｎｏｒｔｈｅｒｎ  Ｉｒｅｌａｎｄ，ＵＫ
（非特許文献９）  ＹＩＮ  ｅｔ  ａｌ．，"Ｆａｂｒｉｃａｔｉｏｎ  ａｎｄ  ｃｈａｒａｃｔｅｒｉｚａｔｉｏｎ  ｏｆ  ａ  ｃａｒｂｏｎ  ｆｉｂｒｅ  ｒｅｉｎｆｏｒｃｅｄ  ｃａｒｂｏｎ−ｓｉｌｉｃｏｎ  ｃａｒｂｉｄｅ−ｔｉｔａｎｉｕｍ  ｓｉｌｉｃｏｎ  ｃａｒｂｉｄｅ  ｈｙｂｒｉｄ  ｍａｔｒｉｘ  ｃｏｍｐｏｓｉｔｅ"Ｍａｔｅｒｉａｌｓ  Ｓｃｉｅｎｃｅ  ａｎｄ  Ｅｎｇｉｎｅｅｒｉｎｇ  Ａ  ５２７（２０１０）８３５−８４１
（非特許文献１０）  ＹＩＮ  ｅｔ  ａｌ．，"Ｍｉｃｒｏｓｔｒｕｃｔｕｒｅ  ａｎｄ  ｏｘｉｄａｔｉｏｎ  ｒｅｓｉｓｔａｎｃｅ  ｏｆ  ｃａｒｂｏｎ／ｓｉｌｉｃｏｎ  ｃａｒｂｉｄｅ  ｃｏｍｐｏｓｉｔｅｓ  ｉｎｆｉｌｔｒａｔｅｄ  ｗｉｔｈ  ｃｈｒｏｍｉｕｍ  ｓｉｌｉｃｉｄｅ"Ｍａｔｅｒｉａｌｓ  Ｓｃｉｅｎｃｅ  ａｎｄ  Ｅｎｇｉｎｅｅｒｉｎｇ  Ａ２９０（２０００）８９−９４
（非特許文献１１）  ＹＵ  ｅｔ  ａｌ．，"Ｏｒｄｅｒｅｄ  Ｍｅｓｏｐｏｒｏｕｓ  Ｎａｎｏｃｒｙｓｔａｌｌｉｎｅ  Ｔｉｔａｎｉｕｍ−Ｃａｒｂｉｄｅ／Ｃａｒｂｏｎ  Ｃｏｍｐｏｓｉｔｅｓ  ｆｒｏｍ  Ｉｎ  Ｓｉｔｕ  Ｃａｒｂｏｔｈｅｒｍａｌ  Ｒｅｄｕｃｔｉｏｎ"Ａｄｖ．Ｍａｔｅｒ．２００７，１９，２３０１−２３０６
（非特許文献１２）  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ１３／３７５５９  （１／２２／２０１４）
（非特許文献１３）  "Ｈｅｔｅｒｏｇｅｎｅｏｕｓ  ｖｓ．Ｈｏｍｏｇｅｎｅｏｕｓ，"Ｕｎｉｖｅｒｓｉｔｙ  ｏｆ  Ｍｅｍｐｈｉｓ，Ｄｅｐａｒｔｍｅｎｔ  ｏｆ  Ｃｈｅｍｉｓｔｒｙ．Ｃｏｐｙｒｉｇｈｔ  ２０１３．：  ｈｔｔｐ：／／ｗｗｗ．ｃｈｅｍ．ｍｅｍｐｈｉｓ．ｅｄｕ／ｂｒｉｄｓｏｎ／ＦｕｎｄＣｈｅｍ／Ｔ０５ａ１１ＯＯ．ｈｔｍ
（非特許文献１４）  Ｋｉｒｓｏｐ  Ｌａｂｓ，"Ｗｈｙ  ｄｏ  Ｉｍｐｕｒｅ  Ｓｏｌｉｄｓ  Ｍｅｌｔ  ａｔ  Ｌｏｗｅｒ  Ｔｅｍｐｅｒａｔｕｒｅｓ？"，ｈｔｔｐ：／／ｋｉｒｓｏｐｌａｂｓ．ｃｏ．ｕｋｌｌａｂ−ａｉｄｓ／ｉｍｐｕｒｅ−ｓｏｌｉｄｓ−ｍｅｌｔ−ｌｏｗｅｒ−ｔｅｍｐｅｒａｔｕｒｅｓ／，Ｏｃｔｏｂｅｒ  ４，２０１３
（非特許文献１５）  Ｌａｈａ  ｅｔ  ａｌ．"Ｃａｒｂｏｎ  Ｎａｎｏｔｕｂｅ  Ｒｅｉｎｆｏｒｃｅｄ  Ａｌｕｍｉｎｕｍ  Ｎａｎｏｃｏｍｐｏｓｉｔｅ  ｖｉａ  Ｐｌａｓｍａ  ａｎｄ  Ｈｉｇｈ  Ｖｅｌｏｃｉｔｙ  Ｏｘｙ−Ｆｕｅｌ  Ｓｐｒａｙ  Ｆｏｒｍｉｎｇ，"Ｊｏｕｒｎａｌ  ｏｆ  Ｎａｎｏｓｃｉｅｎｃｅ  ａｎｄ  Ｎａｎｏｔｅｃｈｎｏｌｏｇｙ，Ｖｏｌ．７，１  −  １０，２００７．
（非特許文献１６）  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１３／０２８１２２  （０６／２０／２０１３）
（非特許文献１７）  Ｓｅａｒｃｈ  Ｒｅｐｏｒｔ  ａｎｄ  Ｗｒｉｔｔｅｎ  Ｏｐｉｎｉｏｎ  ｉｎ  ＰＣＴ／ＵＳ２０１３／０３７５６６（Ｆｅｂ  ５，２０１４）
（非特許文献１８）  ＰＲＥＳＳＥＲ  ｅｔ  ａｌ．，Ａｄｖ．Ｅｎｅｒｇｙ  Ｍａｔｔｅｒ（２０１１）１  ４２３−４３０
（非特許文献１９）  Ｃｅｎｔｅｎｏ  ｅｔ  ａｌ．，"Ｄｅｖｅｌｏｐｍｅｎｔ  ｏｆ  ｔｉｔａｎｉｕｍ−ｄｏｐｅｄ  ｃａｒｂｏｎ−ｃａｒｂｏｎ  ｃｏｍｐｏｓｉｔｅｓ"Ｊ．Ｍａｔｅｒ．Ｓｃｉ．（２００９）４４：２５２５−２５３２
（非特許文献２０）  Ｓｅａｒｃｈ  Ｒｅｐｏｒｔ  ｉｎ  ＥＰ１３７８４８０５．７（０２／０５／２０１６）